(57)【要約】【課題】電池の消耗を抑制し、電池寿命を延ばす。【解決手段】送信装置（１０）は、携帯電話（Ｃ０）が発生する電波を間欠的に監視し、電波を検知すると、受信装置（２０）へ電波を送信する。但し、電波を連続して検知した場合、２回目以降の検知では受信装置（２０）へ電波を送信しない。受信装置（２０）は、送信装置（１０）が発生する電波を間欠的に監視し、電波を検知すると、電波に含まれる固有ＩＤをチェックし、ペアになる送信装置（１０）の固有ＩＤなら着信報知動作を行う。【効果】送信装置も受信装置も電波を間欠的に監視するため、電池消耗を抑制できる。携帯電話が電波を長時間に渡って発生していても、送信装置が電波を出し続けないため、受信装置で報知動作を行い続けることもなく、両装置の電池消耗を抑制できる。【選択図】図１
2009130552.tif 000002
【特許請求の範囲】
【請求項１】
基地局からの着信信号を受信した携帯電話が発生する電波を検知可能な空間に置かれる電池駆動の送信装置と、前記携帯電話の使用者が認識可能な空間に置かれる電池駆動の受信装置とを具備してなる着信伝達装置であって、
前記送信装置は、前記基地局からの着信信号を受信した携帯電話が発生する電波を検知する動作を間欠的に繰り返す電波検知手段と、前記電波検知手段で電波を検知しない状態から電波を検知する状態へと変化すると固有ＩＤを含む電波を送信することを休止期間を挟みながら第１の期間（Ｔ１）中繰り返し送信すると共に第１の期間（Ｔ１）終了時に前記送信を停止する電波送信手段とを含み、
前記受信装置は、前記送信装置が送信する電波を受信する動作を間欠的に繰り返す電波受信手段と、ペアになる送信装置の固有ＩＤを記憶する固有ＩＤ記憶手段と、前記電波受信手段で受信した電波に含まれる固有ＩＤが前記固有ＩＤ記憶手段に記憶している固有ＩＤに一致するか否かを判定する自他判定手段と、前記自他判定手段で一致と判定すると音，光，振動の少なくとも一つで前記使用者に報知する動作を行う報知手段とを含む
ことを特徴とする着信伝達装置。
【請求項２】
請求項１に記載の着信伝達装置において、前記電波受信手段が電波を受信する動作の１回分の時間（Ｔ３）は、前記電波送信手段が電波を１回送信し１回休止する時間（Ｔ２）の２倍以上であり、前記電波受信手段が電波を受信する動作を間欠的に繰り返す周期（Ｔ４）は、前記第１の期間（Ｔ１）以下であることを特徴とする着信伝達装置。
【請求項３】
請求項１または請求項２に記載の着信伝達装置において、前記報知手段は、前記使用者に報知する動作を間欠的に２回以上繰り返すことを特徴とする着信伝達装置。
【請求項４】
請求項１から請求項３のいずれかに記載の着信伝達装置において、音で報知するか、光で報知するか、振動で報知するかを使用者が選択するための選択操作手段を具備したことを特徴とする着信伝達装置。
【請求項５】
請求項１から請求項４のいずれかに記載の着信伝達装置において、前記送信装置は、携帯電話にストラップで係止可能または携帯電話に貼付け可能であり、前記受信装置は、使用者の衣服にクリップ等で係止可能またはブレスレットやリストバンド等のように使用者の身体に装着可能であることを特徴とする着信伝達装置。
【請求項６】
請求項１から請求項５のいずれかに記載の着信伝達装置において、前記送信装置は、電池の寿命を検知する電池寿命検知手段を含み、前記電波送信手段は、前記電池寿命検知手段で電池の寿命を検知すると電池寿命通知を含む電波を送信し、前記受信装置は、前記電波受信手段で受信した電波に電池寿命通知が含まれることを検知する電池寿命通知検知手段を含み、前記報知手段は、前記電波受信手段で受信した電波に電池寿命通知が含まれると前記電池寿命通知検知手段で検知すると音，光，振動の少なくとも一つで前記使用者に報知する動作を行うことを特徴とする着信伝達装置。
【発明の詳細な説明】
【技術分野】
【０００１】
本発明は、着信伝達装置に関し、さらに詳しくは、電池の消耗を抑制し、電池寿命を延ばすことが出来る着信伝達装置に関する。
【背景技術】
【０００２】
従来、基地局からの着信信号を受信した携帯電話が発生する電波を検知可能な空間に置かれる報知親機と、前記携帯電話の使用者が認識可能な空間に置かれる報知子機とを具備してなる着信報知装置が知られている（例えば、特許文献１参照。）。
【特許文献１】特開平１０−２３５４９号公報（図６）
【発明の開示】
【発明が解決しようとする課題】
【０００３】
上記従来の着信報知装置では、携帯電話を鞄に入れておいても、使用者が報知子機を身に着けていれば、携帯電話への着信を知ることが出来た。
しかし、携帯電話が発生する電波を報知親機で連続して監視していたり、報知親機が発生する電波を報知子機で連続して監視していたりすると、報知親機や報知子機が電池駆動である場合に、電池の消耗が大きくなる問題点があった。また、携帯電話が電波を長時間に渡って発生していると、報知親機が報知子機への電波を出し続けるため、やはり電池の消耗が大きくなる問題点があった。
そこで、本発明の目的は、電池の消耗を抑制し、電池寿命を延ばすことが出来る着信伝達装置を提供することにある。
【課題を解決するための手段】
【０００４】
第１の観点では、本発明は、基地局からの着信信号を受信した携帯電話が発生する電波を検知可能な空間に置かれる電池駆動の送信装置と、前記携帯電話の使用者が認識可能な空間に置かれる電池駆動の受信装置とを具備してなる着信伝達装置であって、前記送信装置は、前記基地局からの着信信号を受信した携帯電話が発生する電波を検知する動作を間欠的に繰り返す電波検知手段と、前記電波検知手段で電波を検知しない状態から電波を検知する状態へと変化すると固有ＩＤを含む電波を送信することを休止期間を挟みながら第１の期間（Ｔ１）中繰り返し送信すると共に第１の期間（Ｔ１）終了時に前記送信を停止する電波送信手段とを含み、前記受信装置は、前記送信装置が送信する電波を受信する動作を間欠的に繰り返す電波受信手段と、ペアになる送信装置の固有ＩＤを記憶する固有ＩＤ記憶手段と、前記電波受信手段で受信した電波に含まれる固有ＩＤが前記固有ＩＤ記憶手段に記憶している固有ＩＤに一致するか否かを判定する自他判定手段と、前記自他判定手段で一致と判定すると音，光，振動の少なくとも一つで前記使用者に報知する動作を行う報知手段とを含むことを特徴とする着信伝達装置を提供する。
上記第１の観点による着信伝達装置では、携帯電話が発生する電波を送信装置で連続して監視するのではなく、間欠的に監視する。また、携帯電話が発生する電波を送信装置で連続して検知した場合、２回目以降の検知では受信装置へ電波を送信しない（つまり、携帯電話が電波を長時間に渡って発生していても、送信装置が受信装置への電波を出し続けない）。これにより、送信装置での電池の消耗を抑制でき、送信装置の電池寿命を延ばすことが出来る。さらに、送信装置が発生する電波を受信装置で連続して監視するのではなく、間欠的に監視する。また、携帯電話が電波を長時間に渡って発生していても、送信装置が受信装置への電波を出し続けないため、報知動作を行い続けることもない。これにより、受信装置での電池の消耗を抑制でき、受信装置の電池寿命を延ばすことが出来る。
【０００５】
第２の観点では、本発明は、前記第１の観点による着信伝達装置において、前記電波受信手段が電波を受信する動作の１回分の時間（Ｔ３）は、前記電波送信手段が電波を１回送信し１回休止する時間（Ｔ２）の２倍以上であり、前記電波受信手段が電波を受信する動作を間欠的に繰り返す周期（Ｔ４）は、前記第１の期間（Ｔ１）以下であることを特徴とする着信伝達装置を提供する。
上記第２の観点による着信伝達装置では、受信装置の電波受信手段が電波の受信を休止する時間「Ｔ４−Ｔ３」が「Ｔ１−Ｔ２×２」以下となる。これは、送信装置の電波送信手段が電波を送信する時間「Ｔ１」より短いので、送信装置から送信される電波を受信装置で見落とし無く受信できる。
【０００６】
第３の観点では、本発明は、前記第１または第２の観点による着信伝達装置において、前記報知手段は、前記使用者に報知する動作を間欠的に２回以上繰り返すことを特徴とする着信伝達装置を提供する。
上記第３の観点による着信伝達装置では、使用者に報知する動作を間欠的に２回以上繰り返すので、使用者が気付き易くなる。
【０００７】
第４の観点では、本発明は、前記第１から第３のいずれかの観点による着信伝達装置において、音で報知するか、光で報知するか、振動で報知するかを使用者が選択するための選択操作手段を具備したことを特徴とする着信伝達装置を提供する。
上記第４の観点による着信伝達装置では、使用者が置かれている状況に応じた報知方法を選択することが出来る。
【０００８】
第５の観点では、本発明は、前記第１から第４のいずれかの観点による着信伝達装置において、前記送信装置は、携帯電話にストラップで係止可能または携帯電話に貼付け可能であり、前記受信装置は、使用者の衣服にクリップ等で係止可能またはブレスレットやリストバンド等のように使用者の身体に装着可能であることを特徴とする着信伝達装置を提供する。
上記第５の観点による着信伝達装置では、基地局からの着信信号を受信した携帯電話が発生する電波を検知可能な空間に送信装置を確実に置くことが出来る。また、携帯電話の使用者が認識可能な空間に受信装置を確実に置くことが出来る。
【０００９】
第６の観点では、本発明は、前記第１から第５のいずれかの観点による着信伝達装置において、前記送信装置は、電池の寿命を検知する電池寿命検知手段を含み、前記電波送信手段は、前記電池寿命検知手段で電池の寿命を検知すると電池寿命通知を含む電波を送信し、前記受信装置は、前記電波受信手段で受信した電波に電池寿命通知が含まれることを検知する電池寿命通知検知手段を含み、前記報知手段は、前記電波受信手段で受信した電波に電池寿命通知が含まれると前記電池寿命通知検知手段で検知すると音，光，振動の少なくとも一つで前記使用者に報知する動作を行うことを特徴とする着信伝達装置を提供する。
上記第６の観点による着信伝達装置では、送信装置の電池寿命を速やかに気付くことが出来る。
【発明の効果】
【００１０】
本発明の着信伝達装置によれば、電池の消耗を抑制し、電池寿命を延ばすことが出来る。
【発明を実施するための最良の形態】
【００１１】
以下、図に示す実施の形態により本発明をさらに詳細に説明する。なお、これにより本発明が限定されるものではない。
【実施例１】
【００１２】
図１は、実施例１に係る着信伝達装置１００を示す平面図である。
この着信伝達装置１００は、電池駆動の送信装置１０と、電池駆動の受信装置２０とを具備してなる。
【００１３】
送信装置１０は、基地局からの着信信号を受信した携帯電話Ｃ０が発生する電波を検知可能な送信装置受信エリアＲ１内に携帯電話Ｃ０が確実に在るように、長さ数ｃｍのストラップで携帯電話Ｃ０に係止されている。
送信装置受信エリアＲ１は、例えば送信装置１０から半径３０ｃｍ程度の空間である。
なお、送信装置受信エリアＲ１外に別の携帯電話Ｃ１が在るものとする。
【００１４】
受信装置２０は、携帯電話Ｃ０の使用者Ｕが認識可能な空間に確実に在るように、使用者Ｕの衣服にクリップで係止されている。
受信装置受信エリアＲ２は、送信装置１０から送信される電波を受信装置２０が受信可能なエリアであり、例えば受信装置２０から半径３ｍ程度の空間である。
なお、携帯電話Ｃ０，Ｃ１共に、受信装置受信エリアＲ２内に在るものとする。
【００１５】
図２は、送信装置１０の構成ブロック図である。
送信装置１０は、基地局からの着信信号を受信した携帯電話が発生する電波を検知する動作を間欠的に繰り返す検知部１１と、送信装置１０毎の固有ＩＤなどを記憶するメモリ１２と、検知部１１で電波を検知しない状態から電波を検知する状態へと変化すると固有ＩＤを含む送信データを作成し送信部１４に渡すマイコン１３と、マイコン１３から渡された送信データを乗せた電波を送信することを休止期間を挟みながら第１の期間Ｔ）中繰り返し送信すると共に第１の期間Ｔ１終了時に送信を停止する送信部１４と、電池１６から供給される電圧と送信装置１０が動作しなくなる電圧の差が新品電池から供給される電圧と送信装置１０が動作しなくなる電圧の差の例えば１０％にまで小さくなると電池寿命検知信号をマイコン１３に送る電池寿命検知部１５と、電池１６とを含んでいる。
なお、マイコン１３は、電池寿命検知部１５から電池寿命検知信号を受け取ると、電池寿命通知を送信データに付加する。
【００１６】
図３は、送信装置１０の動作を示すフロー図である。
ステップＳ１では、マイコン１３は、検知部１１を所定時間（例えば１００ｍｓ）だけ受信状態にし、次いで休止状態に戻す。なお、検知部１１が受信状態の時の方が、休止状態の時よりも、電池１６の消耗は大きくなる。
【００１７】
ステップＳ２では、マイコン１３は、検知部１１が受信状態の間に、基地局からの着信信号を受信した携帯電話が発生する電波を検知したかチェックし、検知したならステップＳ３へ進み、検知してないならステップＳ９へ進む。
例えば図１の携帯電話Ｃ０が基地局からの着信信号を受信した場合は携帯電話Ｃ０が発生する電波を検知するが、携帯電話Ｃ１が基地局からの着信信号を受信した場合は携帯電話Ｃ１が発生する電波を検知しない。
【００１８】
ステップＳ３では、マイコン１３は、前回の検知部１１が受信状態の時に、基地局からの着信信号を受信した携帯電話が発生する電波を検知したかチェックし、前回は検知してないならステップＳ５へ進み、前回も検知していたならステップＳ９へ進む。
なお、前回の受信状態の時に基地局からの着信信号を受信した携帯電話が発生する電波を検知したか否かはメモリ１２に記憶しておく。
【００１９】
ステップＳ５では、マイコン１３は、電池寿命検知部１５から電池寿命検知信号を受け取ったか否かをチェックし、受け取っていないならステップＳ６へ進み、受け取ったならステップＳ８へ進む。
【００２０】
ステップＳ６では、マイコン１３は、短い休止期間（例えば１００ｍｓ）を挟みながら第１の期間Ｔ１（例えば５ｓ）の間、固有ＩＤを含む電波を繰り返し送信するように送信部１４を駆動する。固有ＩＤを含む電波を１回送信するのに要する時間は例えば１００ｍｓである。そして、ステップＳ９へ進む。
【００２１】
ステップＳ８では、マイコン１３は、短い休止期間（例えば１００ｍｓ）を挟みながら第１の期間Ｔ１（例えば５ｓ）の間、固有ＩＤおよび電池寿命通知を含む電波を繰り返し送信するように送信部１４を駆動する。固有ＩＤおよび電池寿命通知を含む電波を１回送信し１回休止する時間Ｔ２は例えば２００ｍｓである。そして、ステップＳ９へ進む。なお、送信部１４が送信状態の時の方が、休止状態の時よりも、電池１６の消耗は大きくなる。
【００２２】
ステップＳ９では、マイコン１３は、前回の受信状態の開始から所定の受信周期Ｔｒ（例えば１ｓ）以上が経過したかチェックし、経過していないなら経過するまで待ち、経過したか経過していたらステップＳ１に戻る。
【００２３】
図４は、送信装置１０の動作を示すタイムチャートである。
受信状態Ｒ１，Ｒ２，…の時間は、例えば１００ｍｓである。
受信周期Ｔｒは、例えば１ｓである。
第１の期間Ｔ１は、例えば５ｓである。
電波を１回送信し１回休止する時間Ｔ２は、例えば２００ｍｓである。
【００２４】
図５は、受信装置２０の構成ブロック図である。
受信装置２０は、送信装置から送信された電波を受信する動作を間欠的に繰り返す受信部２１と、ペアになる送信装置１０の固有ＩＤなどを記憶するメモリ２２と、受信部２１で受信した電波に含まれる固有ＩＤがメモリ２２に記憶している固有ＩＤに一致するか否かを判定し一致と判定したときは音，光，振動の少なくとも一つで使用者に報知する動作を行うように報知部２４を駆動するマイコン２３と、ブザー，ＬＥＤ，バイブレータなどを含む報知部２４と、電池２６から供給される電圧と受信装置２０が動作しなくなる電圧の差が新品電池から供給される電圧と受信装置２０が動作しなくなる電圧の差の例えば１０％にまで小さくなると電池寿命検知信号をマイコン２３に送る電池寿命検知部２５と、電池２６と、音，光，振動のどれ（複数可）で報知する動作を行うかを使用者Ｕが選択する操作を行うための選択操作部２７とを含んでいる。
【００２５】
図６は、受信装置２０の動作を示すフロー図である。
ステップＰ１では、マイコン２３は、受信部２１を所定時間Ｔ３（例えば４００ｍｓ）だけ受信状態にし、次いで休止状態に戻す。なお、受信部２１が受信状態の時の方が、休止状態の時よりも、電池２６の消耗は大きくなる。
【００２６】
ステップＰ２では、マイコン２３は、送信部２１が受信状態の間に、受信装置からの電波を受信したかチェックし、受信したならステップＰ３へ進み、受信してないならステップＰ９へ進む。
【００２７】
ステップＰ３では、マイコン２３は、受信した電波に含まれる固有ＩＤがメモリ２２に記憶している固有ＩＤと一致したならステップＰ４へ進み、不一致ならステップＰ９へ進む。
【００２８】
ステップＰ４では、マイコン２３は、受信した電波に電池寿命通知が含まれるか否かをチェックし、含まれないならステップＰ５へ進み、含まれるならステップＰ７へ進む。
【００２９】
ステップＰ５では、マイコン２３は、電池寿命検知部２５から電池寿命検知信号を受け取ったか否かをチェックし、受け取っていないならステップＰ６へ進み、受け取ったならステップＰ８へ進む。
【００３０】
ステップＰ６では、マイコン２３は、選択された報知方法により第１のパターンで着信報知動作を行う。第１のパターンでは、例えばブザーやＬＥＤやバイブレータを１ｓだけ作動させて０．５ｓだけ停止することを３回繰り返す。そして、ステップＰ９へ進む。
【００３１】
ステップＰ７では、マイコン２３は、選択された報知方法により第２のパターンで着信報知動作を行う。第２のパターンでは、例えばブザーやＬＥＤやバイブレータを０．５ｓだけ作動させて０．５ｓだけ停止することを３回繰り返す。そして、ステップＰ９へ進む。
【００３２】
ステップＰ８では、マイコン２３は、選択された報知方法により第３のパターンで着信報知動作を行う。第３のパターンでは、例えばブザーやＬＥＤやバイブレータを０．５ｓだけ作動させて１ｓだけ停止することを３回繰り返す。そして、ステップＰ９へ進む。
【００３３】
ステップＰ９では、マイコン２３は、前回の受信状態の開始から所定の受信周期Ｔ４（例えば５ｓ）以上が経過したかチェックし、経過していないなら経過するまで待ち、経過したか経過していたらステップＰ２に戻る。
【００３４】
図７は、受信装置２０の動作を示すタイムチャートである。
受信状態Ｑ１，Ｑ２，…の時間は、例えば送信装置１０が電波を１回送信し１回休止する時間Ｔ２の２倍の時間である。
受信状態とする周期Ｔ４は、例えば送信装置１０が電波の送信を繰り返す第１の期間Ｔ１と同じある。
【００３５】
実施例１の着信伝達装置１００によれば、携帯電話が発生する電波を送信装置１０で連続して監視するのではなく、間欠的に監視する。また、携帯電話が発生する電波を送信装置１０で連続して検知した場合、２回目以降の検知では受信装置２０へ電波を送信しない（例えば、携帯電話Ｃ０が電波を長時間に渡って発生していても、送信装置１０が受信装置２０への電波を出し続けない）。これにより、送信装置１０での電池１６の消耗を抑制でき、電池１６の寿命を延ばすことが出来る。さらに、送信装置１０が発生する電波を受信装置２０で連続して監視するのではなく、間欠的に監視する。また、携帯電話が電波を長時間に渡って発生していても、送信装置１０が受信装置２０への電波を出し続けないため、報知動作を行い続けることもない。これにより、受信装置２０での電池２６の消耗を抑制でき、電池２６の寿命を延ばすことが出来る。
【産業上の利用可能性】
【００３６】
本発明の着信伝達装置は、離れた場所にある自分の携帯電話に着信があったことを知るための装置として利用できる。
【図面の簡単な説明】
【００３７】
【図１】実施例１に係る着信伝達装置を示す構成説明図である。
【図２】送信装置の構成を示すブロック図である。
【図３】送信装置の動作を示すフロー図である。
【図４】送信装置の動作を示すタイムチャートである。
【図５】受信装置の構成を示すブロック図である。
【図６】受信装置の動作を示すフロー図である。
【図７】受信装置の動作を示すタイムチャートである。
【符号の説明】
【００３８】
１０            送信装置
１１            検知部
１２            メモリ
１３            マイコン
１４            送信部
１５            電池寿命検知部
１６            電池
２０            受信装置
２１            受信部
２２            メモリ
２３            マイコン
２４            報知部
２５            電池寿命検知部
２６            電池
２７            選択操作部
１００          着信伝達装置
【図１】
2009130552.tif 000003
【図２】
2009130552.tif 000004
【図３】
2009130552.tif 000005
【図４】
2009130552.tif 000006
【図５】
2009130552.tif 000007
【図６】
2009130552.tif 000008
【図７】
2009130552.tif 000009